【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
編み組まれた構造物中の第１のヤーンおよびマルチフィラメントの第２のヤーンを備える外科用デバイスであって、ここで、
第１のヤーンがポリマー材料から作製され；そして
第２のヤーンが形状記憶材料から作製される少なくとも１つのフィラメントを含む、外科用デバイス。
【請求項２】
前記ポリマー性材料が、生分解性材料である、請求項１に記載の外科用デバイス。
【請求項３】
前記ポリマー性材料が、非生分解性材料である、請求項１に記載の外科用デバイス。
【請求項４】
前記形状記憶材料が、ニチノール（ＴｉＮｉ）、ＣｕＺｎＡｌ、ＣｕＡｌＮｉおよびＦｅＮｉＡｌからなる群から選択される、請求項１に記載の外科用デバイス。
【請求項５】
前記形状記憶材料が、ニチノール（ＴｉＮｉ）である、請求項１に記載の外科用デバイス。
【請求項６】
前記第１のヤーンが、ポリアミド、ポリエステル、ポリアクリロニトリル、ポリエチレン、超高分子量ポリエチレン、ポリプロピレン、ポリグリコール酸、ポリ乳酸、ポリジオキサノン、ポリイプシロン−カプロラクトン、およびポリトリメチレンカーボネートから選択される、少なくとも１つの材料から作製される少なくとも１つのフィラメントを含む、請求項１に記載の外科用デバイス。
【請求項７】
前記第１のヤーンが、マルチフィラメントヤーンである、請求項１に記載の外科用デバイス。
【請求項８】
前記編み組みが、縫合糸、メッシュ、胸骨閉鎖デバイス、ケーブル、テープおよびテザーからなる群から選択されるデバイスを形成するような形態および寸法である、請求項１に記載の外科用デバイス。
【請求項９】
前記第１のヤーンのすべてのフィラメントが、ポリマー材料から作製される、請求項７に記載の外科用デバイス。
【請求項１０】
前記第２のヤーンのすべてのフィラメントが、形状記憶材料から作製される、請求項１に記載の外科用デバイス。
【請求項１１】
編み組まれた構造物中に連続的ヤーンおよび別個のヤーンの第１のセットおよび第２のセットを含むマルチフィラメントの外科用デバイスであって、
該第１のセットからの各ヤーンが、ポリアミド、ポリエステル、ポリアクリロニトリル、ポリエチレン、超高分子量ポリエチレン、ポリプロピレン、ポリグリコール酸、ポリ乳酸、ポリジオキサノン、ポリイプシロン−カプロラクトン、およびポリトリメチレンカーボネートから選択される、少なくとも１つの材料から作製される複数のフィラメントを含み；そして
該第２のセットからの各ヤーンが、形状記憶材料から作製される少なくとも１つのフィラメントを含む、外科用デバイス。
【請求項１２】
前記形状記憶材料が、ニチノール（ＴｉＮｉ）、ＣｕＺｎＡｌ、ＣｕＡｌＮｉおよびＦｅＮｉＡｌからなる群から選択される、請求項１１に記載の外科用デバイス。
【請求項１３】
前記形状記憶材料が、ニチノール（ＴｉＮｉ）である、請求項１１に記載の外科用デバイス。
【請求項１４】
ポリマー材料から作製される少なくとも１つのフィラメント、および形状記憶材料から作製される少なくとも１つのフィラメントを備える、不均質ヤーン。
【請求項１５】
少なくとも１つのフィラメントが生分解性ポリマー材料から作製される、請求項１４に記載の不均質ヤーン。
【請求項１６】
少なくとも１つのフィラメントが、非生分解性ポリマー材料から作製される、請求項１４に記載の不均質ヤーン。
【請求項１７】
前記形状記憶材料が、ニチノール（ＴｉＮｉ）、ＣｕＺｎＡｌ、ＣｕＡｌＮｉおよびＦｅＮｉＡｌからなる群から選択される、請求項１４に記載の不均質ヤーン。
【請求項１８】
請求項１４に記載の不均質ヤーンを備える、外科用デバイス。
【請求項１９】
縫合糸、メッシュ、胸骨閉鎖デバイス、ケーブル、テープおよびテザーからなる群から選択される、請求項１８に記載の外科用デバイス。
【請求項２０】
請求項１４に記載の不均質ヤーンを備える、滅菌編み組み。
【請求項２１】
複数の不均質ヤーンを備えるマルチフィラメント外科用デバイスであって、各不均質ヤーンが第１のフィラメントおよび第２のフィラメントを含み、該複数の不均質ヤーンが編み組まれた構造物であり、ここで：
該第１のフィラメントが、ポリアミド、ポリエステル、ポリアクリロニトリル、ポリエチレン、ポリプロピレン、ポリグリコール酸、ポリ乳酸、ポリジオキサノン、ポリイプシロン−カプロラクトン、およびポリトリメチレンカーボネートから選択され；そして
該第２のフィラメントが、形状記憶材料から作製される、マルチフィラメント外科用デバイス。
【請求項２２】
前記形状記憶材料が、ニチノール（ＴｉＮｉ）、ＣｕＺｎＡｌ、ＣｕＡｌＮｉおよびＦｅＮｉＡｌからなる群から選択される、請求項２１に記載のマルチフィラメント外科用デバイス。
【請求項２３】
前記形状記憶材料が、ニチノール（ＴｉＮｉ）である、請求項２１に記載のマルチフィラメント外科用デバイス。
【請求項２４】
連続的不均質ヤーンおよび別個の不均質ヤーンの第１のセットおよび第２のセットを含むマルチフィラメント外科用デバイスであって、
各々の不均質ヤーンが、第１および第２の、連続的および別個のフィラメントを含み、
該第１のフィラメントがポリマー材料から作製され；そして
該第２のフィラメントが形状記憶材料から作製される、マルチフィラメント外科用デバイス。
【請求項２５】
前記第１のフィラメントが、生分解性ポリマー材料から作製される、請求項２４に記載のマルチフィラメント外科用デバイス。
【請求項２６】
前記第１のフィラメントが、非生分解性材料から作製される、請求項２４に記載のマルチフィラメント外科用デバイス。
【請求項２７】
前記形状記憶材料が、ニチノール（ＴｉＮｉ）、ＣｕＺｎＡｌ、ＣｕＡｌＮｉおよびＦｅＮｉＡｌからなる群から選択される、請求項２４に記載のマルチフィラメント外科用デバイス。
【請求項２８】
前記形状記憶材料が、ニチノール（ＴｉＮｉ）である、請求項２４に記載のマルチフィラメント外科用デバイス。
【請求項２９】
前記不均質ヤーンが、縫合糸、メッシュ、胸骨閉鎖デバイス、ケーブル、テープおよびテザーからなる群から選択されるデバイスに形成される、請求項２４に記載のマルチフィラメント外科用デバイス。
【請求項３０】
編み組まれた構造物中に連続的ヤーンおよび別個のヤーンの第１のセットおよび第２のセットを含む編み組みを備えるマルチフィラメントの外科用デバイスであって；
該第１のセットのヤーンが、第１および第２のフィラメントを含み；ここで
該第１のセットのフィラメントがポリマー材料から作製され；そして
該第２のフィラメントのすくなくとも１つが形状記憶材料から作製される、マルチフィラメント外科用デバイス。
【請求項３１】
前記第２のセットのヤーンが不均質ヤーンである、請求項３０に記載のマルチフィラメント外科用デバイス。
【請求項３２】
前記形状記憶材料が、ニチノール（ＴｉＮｉ）、ＣｕＺｎＡｌ、ＣｕＡｌＮｉおよびＦｅＮｉＡｌからなる群から選択される、請求項３０に記載のマルチフィラメント外科用デバイス。
【請求項３３】
前記形状記憶材料が、ニチノール（ＴｉＮｉ）である、請求項３０に記載のマルチフィラメント外科用デバイス。
【請求項３４】
前記ポリマー材料が、ポリアミド、ポリエステル、ポリアクリロニトリル、ポリエチレン、ポリプロピレン、ポリグリコール酸、ポリ乳酸、ポリジオキサノン、ポリイプシロン−カプロラクトン、およびポリトリメチレンカーボネートから選択される、請求項３０に記載のマルチフィラメント外科用デバイス。
【請求項３５】
組織中の創傷を閉鎖するためのシステムであって：
ａ．編み組み構造物中に第１のヤーンと第２のヤーンとを備える縫合糸であって、ここで該第１のヤーンがポリマー材料を含む複数のフィラメントを含み、そして該第２のヤーンが形状記憶材料を含む複数のフィラメントを含む縫合糸；
ｂ．該組織を通って該縫合糸を通過するための手段；および
ｃ．該組織を接近するために該縫合糸を固定するための手段、を備える、システム。
【請求項３６】
軟組織を硬組織に固定するためのシステムであって：
ａ．第１のヤーンおよび第２のヤーンから編み組まれた構造物に製作された外科用デバイスであって、ここで、該第１のヤーンがポリマー材料を含む複数のフィラメントを含み、そして該第２のヤーンが形状記憶材料を含む複数のフィラメントを含む外科用デバイス；
ｂ．該外科用デバイスを該軟組織を通って通過させるための手段；
ｃ．該外科用デバイスを該硬組織に固定するための手段；ならびに
ｄ．該外科用デバイスを該軟組織と硬組織とを接近するように操作するための手段、を備える、システム。
【請求項３７】
前記外科用デバイスを該硬組織に固定するための手段が、該硬組織中に形成された開口部を通って該外科用デバイスを通過するための手段をさらに備える、請求項３６に記載のシステム。
【請求項３８】
前記外科用デバイスを該硬組織に固定するための手段が、該外科用デバイスを縫合糸アンカーに取り付けるための手段をさらに備える、請求項３６に記載の方システム。
【請求項３９】
前記外科用デバイスを該硬組織に固定するための手段が、該外科用デバイスを硬組織の周りに通過するための手段をさらに備える、請求項３６に記載のシステム。
【請求項４０】
前記外科用デバイスを該軟組織と硬組織とを接近するように操作するための手段が、該外科用デバイス中に結び目を形成するように構成されている、請求項３６に記載のシステム。
【請求項４１】
硬組織を接近するためのシステムであって：
ａ．編み組まれた構造物中に第１のヤーンおよび第２のヤーンを備える不均質編み組みから製作されたマルチフィラメント外科用デバイスであって、ここで、該第１のヤーンがポリマー材料を含む複数のフィラメントを含み、そして該第２のヤーンが形状記憶材料を含む複数のフィラメントを含むマルチフィラメント外科用デバイス；および
ｂ．該外科用デバイスを該硬組織を接近するように操作するための手段、を備える、システム。
【請求項４２】
前記外科用デバイスを硬組織に固定するための手段をさらに備える、請求項４１に記載のシステム。
【請求項４３】
前記第２のヤーンがニチノール（ＮｉＴｉ）を含む複数のフィラメントを含む、請求項４１に記載のシステム。
【請求項４４】
外科用デバイスであって：
縫合糸アンカー；
該縫合糸アンカーに固定された少なくとも１つの縫合糸であって、編み組まれた構造物中に連続的ヤーンおよび別個のヤーンの第１および第２のセットを含む編み組みを有する縫合糸；を備え、そして
該第１のセットのヤーンが、第１のフィラメントおよび第２のフィラメントを含む不均質ヤーンであり：
ここで、該第１のセットのフィラメントがポリマー材料から作製され；そして
該第２のフィラメントの少なくとも１つが形状記憶材料から作製される、外科用デバイス。
【請求項４５】
前記第２のセットのヤーンが、第１および第２のフィラメントを含む不均質ヤーンであって：
ここで、該第１のセットのフィラメントがポリマー材料から作製され；そして
該第２のフィラメントの少なくとも１つが形状記憶材料から作製される、請求項４４に記載の外科用デバイス。
【請求項４６】
前記第２のセットのヤーンが、均質ヤーンである、請求項４４に記載の外科用デバイス。
【請求項４７】
前記第２のセットのヤーンが、非生分解性材料である、請求項４４に記載の外科用デバイス。
【請求項４８】
前記ポリマー材料が、ポリアミド、ポリエステル、ポリアクリロニトリル、ポリエチレン、ポリプロピレン、ポリグリコール酸、ポリ乳酸、ポリジオキサノン、ポリイプシロン−カプロラクトン、およびポリトリメチレンカーボネートから選択される、請求項４４に記載の外科用デバイス。
【請求項４９】
前記第２のセットのヤーンが、生分解性材料を含む、請求項４４に記載の外科用デバイス。
【請求項５０】
前記形状記憶材料が、ニチノール（ＴｉＮｉ）、ＣｕＺｎＡｌ、ＣｕＡｌＮｉおよびＦｅＮｉＡｌからなる群から選択される、請求項４４に記載の外科用デバイス。
【請求項５１】
前記形状記憶材料が、ニチノール（ＴｉＮｉ）である、請求項４４に記載の外科用デバイス。